(57)【要約】【課題】  破損等への対応に好適な眼用装着物を提供する。【解決手段】  単眼レンズ１０は、前方に向かって拡径するテーパ状の基体１２を有して構成されている。基体１２は、薄く軽量な材質で中空に構成されている。基体１２の前面には、凸レンズからなる対物レンズ１４が設けられている。基体１２の中央内周面には、内側に突出する支持突起１６ａが設けられている。支持突起１６ａには、凹レンズからなる接眼レンズ１６ｂが支持されている。基体１２の後面には、透光性の透光体１８が設けられている。透光体１８の後面（装着面）は吸盤構造となっている。使用者は、基体１２の後面をコンタクトレンズ２０の前面に押し当てると、透光体１８の吸盤室内が陰圧となって透光体１８の吸盤部がコンタクトレンズ２０の前面に吸着し、単眼レンズ１０がコンタクトレンズ２０に装着される。【選択図】  図３
2019144580.tif 000002
【特許請求の範囲】
【請求項１】
コンタクトレンズの前面に装着される薬剤であって、
前記コンタクトレンズの前面に吸着する吸着手段を備えることを特徴とする薬剤。
【請求項２】
コンタクトレンズの前面に装着されるサプリメントであって、
前記コンタクトレンズの前面に吸着する吸着手段を備えることを特徴とするサプリメント。
【請求項３】
コンタクトレンズの前面に装着される光学デバイスであって、
前記コンタクトレンズの前面に吸着する吸着手段を備えることを特徴とする光学デバイス。
【請求項４】
コンタクトレンズの前面に装着される眼用矯正具であって、
前記コンタクトレンズの前面に吸着する吸着手段を備えることを特徴とする眼用矯正具。
【請求項５】
コンタクトレンズの前面に装着される磁性体であって、
前記コンタクトレンズの前面に吸着する吸着手段を備えることを特徴とする磁性体。
【請求項６】
前記吸着手段は、前記コンタクトレンズの前面に着脱可能に吸着することを特徴とする請求項１記載の薬剤、請求項２記載のサプリメント、請求項３記載の光学デバイス、請求項４記載の眼用矯正具、又は請求項５記載の磁性体。
【請求項７】
前記吸着手段は、前記コンタクトレンズの前面との間に形成される室内を陰圧にして前記コンタクトレンズの前面に吸着することを特徴とする請求項１及び６のいずれか１項に記載の薬剤、請求項２及び６のいずれか１項に記載のサプリメント、請求項３及び６のいずれか１項に記載の光学デバイス、請求項４及び６のいずれか１項に記載の眼用矯正具、又は請求項５及び６のいずれか１項に記載の磁性体。
【請求項８】
前記吸着手段は、前記コンタクトレンズの前面に吸着する１又は複数の吸盤構造を有することを特徴とする請求項１及び６のいずれか１項に記載の薬剤、請求項２及び６のいずれか１項に記載のサプリメント、請求項３及び６のいずれか１項に記載の光学デバイス、請求項４及び６のいずれか１項に記載の眼用矯正具、又は請求項５及び６のいずれか１項に記載の磁性体。
【請求項９】
請求項１、６乃至８のいずれか１項に記載の薬剤、請求項２、６乃至８のいずれか１項に記載のサプリメント、請求項３、６乃至８のいずれか１項に記載の光学デバイス、請求項４、６乃至８のいずれか１項に記載の眼用矯正具、又は請求項５乃至８のいずれか１項に記載の磁性体における前記コンタクトレンズであることを特徴とするコンタクトレンズ。
【発明の詳細な説明】
【技術分野】
【０００１】
本発明は、眼用装着物及び眼用アダプタに係り、特に、破損等への対応に好適な眼用装着物及び眼用アダプタに関する。
【背景技術】
【０００２】
従来、例えば、特許文献１記載の眼用デバイスが知られている。特許文献１記載の眼用デバイスは、コンタクトレンズ型に成形された電子デバイスであって、使用者の眼に装着して装用されるものである。
【０００３】
また、例えば、特許文献２記載のコンタクトレンズも知られている。特許文献２記載のコンタクトレンズは、原料樹脂内に薬剤を混入したコンタクトレンズであって、装用すると眼に薬用効果を与えるものである。
【先行技術文献】
【特許文献】
【０００４】
【特許文献１】特開２０１７−１９８９８４号公報
【特許文献２】特公昭４８−９９９１号公報
【発明の概要】
【発明が解決しようとする課題】
【０００５】
しかしながら、特許文献１記載の眼用デバイスにあっては、装着面が破損した場合は、安全面から眼用デバイス全体を交換しなければならない。また、装着面が汚損した場合も、衛生面から眼用デバイス全体を交換しなければならない。すなわち、高価な眼用デバイスが、電子的な機能が損なわれていないのに安全面や衛生面等の事情により交換を余儀なくされることがある。
【０００６】
また、特許文献２記載のコンタクトレンズにあっても同様に、薬剤を使い切った場合は、コンタクトレンズとしての光学的な機能が損なわれていないのに交換を余儀なくされることがある。また、他の薬剤を用いたい場合も、他の薬剤を混入した新たなコンタクトレンズを用意しなければならない。
【０００７】
そこで、本発明は、このような従来の技術の有する未解決の課題に着目してなされたものであって、破損等への対応に好適な眼用装着物及び眼用アダプタを提供することを目的としている。
【課題を解決するための手段】
【０００８】
〔発明１〕  上記目的を達成するために、発明１の眼用装着物は、眼に装着可能な眼用装着物であって、被装着対象に吸着する吸着手段を備える。
【０００９】
このような構成であれば、吸着手段が被装着対象に吸着し、眼用装着物が装着される。
ここで、吸着とは、吸いつくことをいい、例えば、吸着箇所が外界よりも陰圧となって吸いつくことが含まれる。以下、吸着の概念については同じである。
【００１０】
また、吸着手段としては、例えば、被装着対象及び本眼用装着物のうち本眼用装着物に吸着のための構成（例えば、吸盤構造）を設け、本眼用装着物の当該構成が被装着対象に吸着する構成として実現する場合、被装着対象及び本眼用装着物の両方に吸着のための構成（例えば、吸盤構造）を設け、それぞれが雄及び雌のように対応して吸着する構成として実現する場合が含まれる。後者の場合は、本眼用装着物に設けた吸着のための構成が吸着手段に対応する。
【００１１】
また、眼用装着物を眼に装着する態様としては、眼用装着物を眼に直接装着すること、眼との間に１又は複数の媒体（例えば、部材）を介在させて眼用装着物を眼に間接的に装着することが含まれる。以下、発明４の眼用装着物、及び発明１１の眼用アダプタにおいて同じである。
【００１２】
また、眼用装着物は、人又は動物の眼球に装着可能な物として、より具体的には、眼球に形状適合性を有する曲面状又は眼球の表面形状に沿った球面形状の物として構成することができる。以下、発明４の眼用装着物、及び発明１１の眼用アダプタにおいて同じである。
【００１３】
また、眼用装着物としては、例えば、眼用デバイス、矯正具、薬剤、サプリメント及び磁性流体が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、発明４の眼用装着物、及び発明１１の眼用アダプタにおいて同じである。
【００１４】
また、眼用装着物は、例えば、粒状、粉状、線状、棒状、板状、シート状、球状、ブロック状、錠剤状、チュアブル状、ウェハース状、ビスケット状、カプセル状又はグミ状であってもよい。以下、発明４の眼用装着物、及び発明１１の眼用アダプタにおいて同じである。
【００１５】
〔発明２〕  さらに、発明２の眼用装着物は、発明１の眼用装着物において、前記被装着対象は、眼に装着可能な眼用器具若しくは薬剤又は眼球である。
【００１６】
このような構成であれば、吸着手段が眼用器具、薬剤又は眼球に吸着する。
ここで、眼用器具を眼に装着する態様としては、眼用器具を眼に直接装着すること、眼との間に１又は複数の媒体（例えば、部材）を介在させて眼用器具を眼に間接的に装着することが含まれる。以下、発明１２の眼用アダプタにおいて同じである。
【００１７】
また、眼用器具としては、例えば、眼用デバイス及び矯正具が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、発明１２の眼用アダプタにおいて同じである。
【００１８】
〔発明３〕  さらに、発明３の眼用装着物は、発明２の眼用装着物において、前記眼用器具は、眼用デバイスである。
【００１９】
このような構成であれば、吸着手段が眼用デバイス、薬剤又は眼球に吸着する。
〔発明４〕  さらに、発明４の眼用装着物は、眼に装着可能な眼用装着物であって、第２眼用装着物に吸着する吸着手段を備える。
【００２０】
このような構成であれば、吸着手段が第２眼用装着物に吸着し、眼用装着物が装着される。
【００２１】
ここで、吸着手段としては、例えば、第２眼用装着物及び本眼用装着物のうち本眼用装着物に吸着のための構成（例えば、吸盤構造）を設け、本眼用装着物の当該構成が第２眼用装着物に吸着する構成として実現する場合、第２眼用装着物及び本眼用装着物の両方に吸着のための構成（例えば、吸盤構造）を設け、それぞれが雄及び雌のように対応して吸着する構成として実現する場合が含まれる。後者の場合は、本眼用装着物に設けた吸着のための構成が吸着手段に対応する。
【００２２】
また、第２眼用装着物を眼に装着する態様としては、第２眼用装着物を眼に直接装着すること、眼との間に１又は複数の媒体（例えば、部材）を介在させて第２眼用装着物を眼に間接的に装着することが含まれる。
【００２３】
〔発明５〕  さらに、発明５の眼用装着物は、発明４の眼用装着物において、前記第２眼用装着物は、眼用デバイス又は薬剤である。
【００２４】
このような構成であれば、吸着手段が眼用デバイス又は薬剤に吸着する。
〔発明６〕  さらに、発明６の眼用装着物は、発明１乃至５のいずれか１の眼用装着物において、眼用デバイス又は薬剤である。
【００２５】
このような構成であれば、吸着手段による吸着により眼用デバイス又は薬剤が装着される。
【００２６】
〔発明７〕  さらに、発明７の眼用装着物は、発明３、５及び６のいずれか１の眼用装着物において、前記眼用デバイスは、コンタクトレンズである。
【００２７】
〔発明８〕  さらに、発明８の眼用装着物は、発明３、５及び６のいずれか１の眼用装着物において、前記眼用デバイスは、電子デバイスである。
【００２８】
〔発明９〕  さらに、発明９の眼用装着物は、発明１乃至８のいずれか１の眼用装着物において、前記吸着手段は、室内を陰圧にして物に吸着する構造を有する。
【００２９】
〔発明１０〕  さらに、発明１０の眼用装着物は、発明１乃至８のいずれか１の眼用装着物において、前記吸着手段は、１又は複数の吸盤構造を有する。
【００３０】
〔発明１１〕  一方、上記目的を達成するために、発明１１の眼用アダプタは、眼用装着物を眼に装着するための眼用アダプタであって、被装着対象に吸着する第１吸着手段と、前記眼用装着物に吸着する第２吸着手段とを備える。
【００３１】
このような構成であれば、第１吸着手段が被装着対象に、第２吸着手段が眼用装着物にそれぞれ吸着し、眼用アダプタを介して眼用装着物が装着される。
【００３２】
ここで、第１吸着手段としては、例えば、被装着対象及び本眼用アダプタのうち本眼用アダプタに吸着のための構成（例えば、吸盤構造）を設け、本眼用アダプタの当該構成が被装着対象に吸着する構成として実現する場合、被装着対象及び本眼用アダプタの両方に吸着のための構成（例えば、吸盤構造）を設け、それぞれが雄及び雌のように対応して吸着する構成として実現する場合が含まれる。後者の場合は、本眼用アダプタに設けた吸着のための構成が第１吸着手段に対応する。
【００３３】
また、第２吸着手段としては、例えば、眼用装着物及び本眼用アダプタのうち本眼用アダプタに吸着のための構成（例えば、吸盤構造）を設け、本眼用アダプタの当該構成が眼用装着物に吸着する構成として実現する場合、眼用装着物及び本眼用アダプタの両方に吸着のための構成（例えば、吸盤構造）を設け、それぞれが雄及び雌のように対応して吸着する構成として実現する場合が含まれる。後者の場合は、本眼用アダプタに設けた吸着のための構成が第２吸着手段に対応する。
【００３４】
また、眼用アダプタを眼に装着する態様としては、眼用アダプタを眼に直接装着すること、眼との間に１又は複数の媒体（例えば、部材）を介在させて眼用アダプタを眼に間接的に装着することが含まれる。
【００３５】
〔発明１２〕  さらに、発明１２の眼用アダプタは、発明１１の眼用アダプタにおいて、前記被装着対象は、眼に装着可能な眼用器具若しくは薬剤又は眼球である。
【００３６】
このような構成であれば、第１吸着手段が眼用器具、薬剤又は眼球に吸着する。
〔発明１３〕  さらに、発明１３の眼用アダプタは、発明１２の眼用アダプタにおいて、前記眼用器具は、眼用デバイスである。
【００３７】
このような構成であれば、第１吸着手段が眼用デバイス、薬剤又は眼球に吸着する。
〔発明１４〕  さらに、発明１４の眼用アダプタは、発明１１乃至１３のいずれか１の眼用アダプタにおいて、前記眼用装着物は、眼用デバイス又は薬剤である。
【００３８】
このような構成であれば、第２吸着手段が眼用デバイス又は薬剤に吸着する。
〔発明１５〕  さらに、発明１５の眼用アダプタは、発明１１乃至１４のいずれか１の眼用アダプタにおいて、眼用デバイス又は薬剤である。
【００３９】
このような構成であれば、眼用デバイス又は薬剤を介して眼用装着物が装着される。
〔発明１６〕  さらに、発明１６の眼用アダプタは、発明１３乃至１５のいずれか１の眼用アダプタにおいて、前記眼用デバイスは、コンタクトレンズである。
【００４０】
〔発明１７〕  さらに、発明１７の眼用アダプタは、発明１３乃至１５のいずれか１の眼用アダプタにおいて、前記眼用デバイスは、電子デバイスである。
【００４１】
〔発明１８〕  さらに、発明１８の眼用アダプタは、発明１１乃至１７のいずれか１の眼用アダプタにおいて、前記第１吸着手段及び前記第２吸着手段の一方又は両方は、室内を陰圧にして物に吸着する構造を有する。
【００４２】
〔発明１９〕  さらに、発明１９の眼用アダプタは、発明１１乃至１７のいずれか１の眼用アダプタにおいて、前記第１吸着手段及び前記第２吸着手段の一方又は両方は、１又は複数の吸盤構造を有する。
【００４３】
〔発明２０〕  一方、上記目的を達成するために、発明２０の眼用装着物は、発明４の眼用装着物における前記吸着手段に吸着される前記第２眼用装着物、又は発明１１の眼用アダプタにおける前記第２吸着手段に吸着される前記眼用装着物である。
【発明の効果】
【００４４】
以上説明したように、発明１の眼用装着物によれば、吸着手段による吸着により眼用装着物が被装着対象に装着されるので、眼用装着物と被装着対象との組み合わせを選択又は変更等することができる。したがって、従来の一体成形のものに比して、破損等への対応が容易となる。
【００４５】
さらに、発明２の眼用装着物、又は発明１２の眼用アダプタによれば、眼用装着物と眼用器具、薬剤又は眼球との組み合わせを選択又は変更等することができる。
【００４６】
さらに、発明３の眼用装着物、又は発明１３の眼用アダプタによれば、眼用装着物と眼用デバイス、薬剤又は眼球との組み合わせを選択又は変更等することができる。
【００４７】
さらに、発明４の眼用装着物によれば、吸着手段による吸着により第２眼用装着物が本眼用装着物に装着されるので、第２眼用装着物と本眼用装着物との組み合わせを選択又は変更等することができる。したがって、従来の一体成形のものに比して、破損等への対応が容易となる。
【００４８】
さらに、発明５の眼用装着物によれば、眼用デバイス又は薬剤と本眼用装着物との組み合わせを選択又は変更等することができる。
【００４９】
一方、発明１１の眼用アダプタによれば、第１吸着手段及び第２吸着手段による吸着により眼用アダプタを介して眼用装着物が被装着対象に装着されるので、眼用装着物と被装着対象との組み合わせを選択又は変更等することができる。したがって、従来の一体成形のものに比して、破損等への対応が容易となる。
【００５０】
さらに、発明１４の眼用アダプタによれば、眼用デバイス又は薬剤と被装着対象との組み合わせを選択又は変更等することができる。
【図面の簡単な説明】
【００５１】
【図１】単眼レンズ１０の形状を示す図であり、（ａ）は単眼レンズ１０の正面図、（ｂ）は単眼レンズ１０の背面図である。
【図２】図１のＡ−Ａ線に沿った断面図である。
【図３】眼２２の縦断面図であり、（ａ）は単眼レンズ１０の装着前の図、（ｂ）は単眼レンズ１０の装着後の図である。
【図４】単眼レンズ１０を装着した眼２２の斜視図である。
【図５】電子デバイス３０の形状を示す図であり、（ａ）は電子デバイス３０の正面図、（ｂ）は電子デバイス３０の斜視図、（ｃ）は（ａ）のＡ−Ａ線に沿った断面図である。
【図６】電子デバイス３０の装着方法を説明するための図であり、（ａ）は眼２２を開いた状態の斜視図、（ｂ）は眼２２を開いた状態の縦断面図である。
【図７】電子デバイス３０の装着方法を説明するための図であり、（ａ）は眼２２を閉じた状態の斜視図、（ｂ）は眼２２を閉じた状態の縦断面図である。
【図８】薬剤４０の形状を示す図であり、（ａ）は薬剤４０の正面図、（ｂ）は薬剤４０の斜視図、（ｃ）は（ａ）のＡ−Ａ線に沿った断面図である。
【図９】薬剤４０の装着方法を説明するための図であり、（ａ）は眼２２の正面図、（ｂ）は眼２２の縦断面図である。
【図１０】電子デバイス３０及びコンタクトレンズ２０の縦断面図である。
【図１１】電子デバイス３０、眼用アダプタ５０及びコンタクトレンズ２０の縦断面図である。
【図１２】電子デバイス３０、眼用アダプタ５０及びコンタクトレンズ２０の縦断面図である。
【図１３】薬剤４０の形状及び装着箇所の変形例を示す図であり、（ａ）は眼２２の正面図、（ｂ）は眼２２の縦断面図である。
【図１４】薬剤４０の形状及び装着箇所の変形例を示す図であり、（ａ）は薬剤４０の正面図、（ｂ）は眼球２２の正面図である。
【図１５】薬剤４０の形状及び装着箇所の変形例を示す図であり、（ａ）は薬剤４０の正面図、（ｂ）は眼球２２の正面図である。
【図１６】薬剤４０の形状及び装着箇所の変形例を示す図であり、（ａ）は薬剤４０の正面図、（ｂ）は眼球２２の正面図である。
【図１７】薬剤４０の装着箇所の変形例を示す図である。
【図１８】コンタクトレンズ２０の縦断面図である。
【発明を実施するための形態】
【００５２】
〔第１の実施の形態〕
以下、本発明の第１の実施の形態を説明する。図１乃至図４は、本実施の形態を示す図である。
【００５３】
まず、本実施の形態の構成を説明する。
図１は、単眼レンズ１０の形状を示す図であり、（ａ）は単眼レンズ１０の正面図、（ｂ）は単眼レンズ１０の背面図である。
【００５４】
図２は、図１のＡ−Ａ線に沿った断面図である。
単眼レンズ１０は、図１及び図２に示すように、前方に向かって拡径するテーパ状の基体１２を有して構成されている。基体１２は、薄く軽量な材質で中空に構成されている。
【００５５】
基体１２の前面には、凸レンズからなる対物レンズ１４が設けられている。基体１２の中央内周面には、内側に突出する支持突起１６ａが設けられている。支持突起１６ａには、凹レンズからなる接眼レンズ１６ｂが支持されている。基体１２の後面には、透光性の透光体１８が設けられている。透光体１８の後面（装着面）は吸盤構造となっている。
【００５６】
次に、本実施の形態の動作を説明する。
図３は、眼２２の縦断面図であり、（ａ）は単眼レンズ１０の装着前の図、（ｂ）は単眼レンズ１０の装着後の図である。
【００５７】
図４は、単眼レンズ１０を装着した眼２２の斜視図である。
使用者は、まず、ソフトコンタクトレンズからなるコンタクトレンズ２０を装着する。コンタクトレンズ２０は、眼２２の角膜２４上に重ね合わされて装用されることにより使用者の眼光学系に光学特性を与える。次に、使用者は、図３及び図４に示すように、基体１２の後面をコンタクトレンズ２０の前面に押し当てると、透光体１８の吸盤室内が陰圧となって透光体１８の吸盤部がコンタクトレンズ２０の前面に吸着し、単眼レンズ１０がコンタクトレンズ２０に装着される。使用者は、単眼レンズ１０を眼２２の瞳孔２６上に装用することにより像を拡大して見ることができる。
【００５８】
次に、本実施の形態の効果を説明する。
本実施の形態では、単眼レンズ１０は、コンタクトレンズ２０に吸着する吸盤構造を有する透光体１８を備える。
【００５９】
これにより、吸盤による吸着により単眼レンズ１０がコンタクトレンズ２０に装着されるので、単眼レンズ１０とコンタクトレンズ２０との組み合わせを選択又は変更等することができる。例えば、コンタクトレンズ２０の使用期間が経過した場合は、新たなコンタクトレンズ２０に単眼レンズ１０を装着することができる。また、コンタクトレンズ２０として市販のコンタクトレンズを利用することができる。したがって、従来の一体成形のものに比して、コンタクトレンズ２０の使用期間経過等への対応が容易となる。
【００６０】
本実施の形態において、コンタクトレンズ２０は、発明１又は２の被装着対象に対応し、透光体１８は、発明１、９又は１０の吸着手段に対応している。
【００６１】
〔第２の実施の形態〕
次に、本発明の第２の実施の形態を説明する。図５乃至図７は、本実施の形態を示す図である。なお、以下、上記第１の実施の形態と異なる部分についてのみ説明し、重複する部分については同一の符号を付して説明を省略する。
【００６２】
まず、本実施の形態の構成を説明する。
図５は、電子デバイス３０の形状を示す図であり、（ａ）は電子デバイス３０の正面図、（ｂ）は電子デバイス３０の斜視図、（ｃ）は（ａ）のＡ−Ａ線に沿った断面図である。
【００６３】
電子デバイス３０は、図５に示すように、電子回路を内蔵する扁平中空円板状の基体３２を有して構成されている。基体３２の中空径は、角膜領域とほぼ同径となっている。
【００６４】
基体３２の後面には、扁平円板状で透光性の吸盤部３６が基体３２と同軸に配置されている。吸盤部３６は、基体３２の中空径よりもやや小径で、後面が吸盤構造となっている。そして、基体３２の後面と吸盤部３６の前面は２本の支持脚３４ａ、３４ｂにより接合され、基体３２に対し吸盤部３６が支持脚３４ａ、３４ｂにより支持されている。
【００６５】
次に、本実施の形態の動作を説明する。
図６は、電子デバイス３０の装着方法を説明するための図であり、（ａ）は眼２２を開いた状態の斜視図、（ｂ）は眼２２を開いた状態の縦断面図である。
【００６６】
図７は、電子デバイス３０の装着方法を説明するための図であり、（ａ）は眼２２を閉じた状態の斜視図、（ｂ）は眼２２を閉じた状態の縦断面図である。
【００６７】
使用者は、まず、コンタクトレンズ２０を装着する。次に、使用者は、図６に示すように、吸盤部３６の後面をコンタクトレンズ２０の前面に押し当てると、吸盤部３６の吸盤室内が陰圧となって吸盤部３６の吸盤部がコンタクトレンズ２０の前面に吸着し、電子デバイス３０がコンタクトレンズ２０に装着される。装用時は、電子デバイス３０により眼２２に関する情報の収集等が行われる。使用者は、図７に示すように、２本の細い支持脚３４ａ、３４ｂにより基体３２が眼瞼の外側で支持されるので、装用時に眼瞼を閉じることができる。
【００６８】
次に、本実施の形態の効果を説明する。
本実施の形態では、電子デバイス３０は、コンタクトレンズ２０に吸着する吸盤構造を有する吸盤部３６を備える。
【００６９】
これにより、吸盤による吸着により電子デバイス３０がコンタクトレンズ２０に装着されるので、電子デバイス３０とコンタクトレンズ２０との組み合わせを選択又は変更等することができる。例えば、コンタクトレンズ２０が破損や汚損した場合は、新たなコンタクトレンズ２０に電子デバイス３０を装着することができる。また、コンタクトレンズ２０として市販のコンタクトレンズを利用することができる。したがって、従来の一体成形のものに比して、コンタクトレンズ２０の破損や汚損等への対応が容易となる。
【００７０】
本実施の形態において、コンタクトレンズ２０は、発明１又は２の被装着対象に対応し、吸盤部３６は、発明１、９又は１０の吸着手段に対応している。
【００７１】
〔第３の実施の形態〕
次に、本発明の第３の実施の形態を説明する。図８及び図９は、本実施の形態を示す図である。なお、以下、上記第１の実施の形態と異なる部分についてのみ説明し、重複する部分については同一の符号を付して説明を省略する。
【００７２】
まず、本実施の形態の構成を説明する。
図８は、薬剤４０の形状を示す図であり、（ａ）は薬剤４０の正面図、（ｂ）は薬剤４０の斜視図、（ｃ）は（ａ）のＡ−Ａ線に沿った断面図である。
【００７３】
薬剤４０は、図８に示すように、扁平中空円板状に形成されている。薬剤４０の中空径は、瞳孔領域よりも大径で且つ角膜領域よりも小径となっている。
【００７４】
薬剤４０の後面には、複数（同図の例では６つ）の吸盤孔４２が同心円状に等間隔に形成されている。吸盤孔４２は吸盤構造となっている。
【００７５】
次に、本実施の形態の動作を説明する。
図９は、薬剤４０の装着方法を説明するための図であり、（ａ）は眼２２の正面図、（ｂ）は眼２２の縦断面図である。
【００７６】
使用者は、まず、コンタクトレンズ２０を装着する。次に、使用者は、図９に示すように、薬剤４０の後面をコンタクトレンズ２０の前面に押し当てると、吸盤孔４２の吸盤室内が陰圧となって吸盤孔４２がコンタクトレンズ２０の前面に吸着し、薬剤４０がコンタクトレンズ２０に装着される。薬剤４０は、中空部分から瞳孔領域を覗くようにして眼球の正面に装着する。装用時は、薬剤４０が溶け出し、眼瞼や眼球等の部位にその成分が供給される。
【００７７】
次に、本実施の形態の効果を説明する。
本実施の形態では、薬剤４０は、コンタクトレンズ２０に吸着する吸盤構造を有する吸盤孔４２を備える。
【００７８】
これにより、吸盤による吸着により薬剤４０がコンタクトレンズ２０に装着されるので、薬剤４０とコンタクトレンズ２０との組み合わせを選択又は変更等することができる。例えば、薬剤４０を使い切った場合は、コンタクトレンズ２０に新たな薬剤４０を装着することができる。また例えば、他の薬剤４０を用いたい場合は、コンタクトレンズ２０ごと交換し、新たなコンタクトレンズ２０に他の薬剤４０を装着することができる。また、コンタクトレンズ２０として市販のコンタクトレンズを利用することができる。したがって、従来の一体成形のものに比して、薬剤４０の使い切りや変更等への対応が容易となる。
【００７９】
本実施の形態において、コンタクトレンズ２０は、発明１又は２の被装着対象に対応し、吸盤孔４２は、発明１、９又は１０の吸着手段に対応している。
【００８０】
〔変形例〕
なお、上記第１乃至第３の実施の形態の変形例として、次の構成を採用することができる。以下の構成中、眼用装着物、眼用器具及び吸着手段のバリエーションについては、上記第１乃至第３の実施の形態及びその変形例を採用することができる。
【００８１】
〔１層構造：１層目内吸着構成〕
この構成は、眼球に吸着する吸盤構造その他の吸着手段を有する眼用装着物（１層目）を備え、眼用装着物を眼球に吸着する構成である。
【００８２】
〔２層構造：２層目内吸着構成〕
この構成は、眼球に装着可能な眼用器具（１層目）と、眼用器具に吸着する吸盤構造その他の吸着手段を有する眼用装着物（２層目）とを備え、眼用装着物を眼用器具に吸着する構成である。上記第１乃至第３の実施の形態がこの構成である。
【００８３】
〔２層構造：１層目外吸着構成〕
この構成は、眼用装着物（２層目）と、眼用装着物に吸着する吸盤構造その他の吸着手段を有し眼球に装着可能な眼用器具（１層目）とを備え、眼用装着物を眼用器具に吸着する構成である。例えば、上記第２の実施の形態の変形例として図１０の変形例を採用することができる。
【００８４】
図１０の変形例は、コンタクトレンズ２０に吸盤構造を設けた構成である。
図１０は、電子デバイス３０及びコンタクトレンズ２０の縦断面図である。
【００８５】
電子デバイス３０は、図１０に示すように、扁平円板状に形成されている。コンタクトレンズ２０の前面中央には、吸盤孔２０ａが形成されている。吸盤孔２０ａは、電子デバイス３０よりもやや小径で吸盤構造となっている。これにより、電子デバイス３０の後面をコンタクトレンズ２０の前面に押し当てると、吸盤孔２０ａの吸盤室内が陰圧となって吸盤孔２０ａが電子デバイス３０の後面に吸着し、電子デバイス３０がコンタクトレンズ２０に装着される。
【００８６】
図１０の変形例は、上記第１及び第３の実施の形態並びにその変形例についても同様に適用することができる。
【００８７】
〔２層構造：１、２層両吸着構成〕
この構成は、眼球に装着可能な眼用器具（１層目）と、眼用装着物（２層目）と、眼用器具及び眼用装着物を吸着する吸盤構造その他の吸着手段とを備え、眼用装着物を眼用器具に吸着する構成である。眼用器具の吸着手段及び眼用装着物の吸着手段がそれぞれ相手に吸着する構成（〔２層構造：２層目内吸着構成〕及び〔２層構造：１層目外吸着構成〕）のほか、眼用器具の吸着手段及び眼用装着物の吸着手段が雄及び雌のように対応して吸着する構成が含まれる。
【００８８】
〔３層構造：２層目両吸着構成〕
この構成は、眼球に装着可能な眼用器具（１層目）と、眼用装着物（３層目）と、眼用器具及び眼用装着物に吸着する吸盤構造その他の吸着手段を有する眼用アダプタ（２層目）とを備え、眼用アダプタを介して眼用装着物を眼用器具に装着する構成である。例えば、上記第２の実施の形態の変形例として図１１の変形例を採用することができる。
【００８９】
図１１の変形例は、眼用アダプタ５０の前面及び後面に吸盤構造を設けた構成である。
図１１は、電子デバイス３０、眼用アダプタ５０及びコンタクトレンズ２０の縦断面図である。
【００９０】
電子デバイス３０は、図１１に示すように、扁平円板状に形成されている。電子デバイス３０は、眼用アダプタ５０を介してコンタクトレンズ２０に装着される。眼用アダプタ５０の前面には吸盤孔５０ａが、後面には吸盤孔５０ｂがそれぞれ形成されている。吸盤孔５０ａは、電子デバイス３０よりもやや小径で吸盤構造となっている。吸盤孔５０ｂは吸盤構造となっている。これにより、電子デバイス３０の後面を眼用アダプタ５０の前面に押し当てると、吸盤孔５０ａの吸盤室内が陰圧となって吸盤孔５０ａが電子デバイス３０の後面に吸着し、電子デバイス３０が眼用アダプタ５０に装着される。次に、眼用アダプタ５０の後面をコンタクトレンズ２０の前面に押し当てると、吸盤孔５０ｂの吸盤室内が陰圧となって吸盤孔５０ｂがコンタクトレンズ２０の前面に吸着し、眼用アダプタ５０を介して電子デバイス３０がコンタクトレンズ２０に装着される。眼用アダプタ５０は、独立で使用される１つの器具として製造されるものであって、流通形態としては、コンタクトレンズ２０とセットで販売される場合、電子デバイス３０とセットで販売される場合、又は眼用アダプタ５０単体で販売される場合が想定される。
【００９１】
図１１の変形例は、上記第１及び第３の実施の形態並びにその変形例についても同様に適用することができる。
【００９２】
〔３層構造：２層目内吸着構成〕
この構成は、眼球に装着可能な眼用器具（１層目）と、眼用装着物（３層目）と、眼用器具に吸着する吸盤構造その他の吸着手段を有する眼用アダプタ（２層目）とを備え、眼用アダプタを介して眼用装着物を眼用器具に装着する構成である。眼用アダプタ及び眼用装着物は吸着以外の方法で接合する。ここで、眼用アダプタ及び眼用器具の関係は〔２層構造：２層目内吸着構成〕と同じである。例えば、上記第２の実施の形態の変形例として図１２の変形例を採用することができる。
【００９３】
図１２の変形例は、眼用アダプタ５０の後面に吸盤構造を設けた構成である。
図１２は、電子デバイス３０、眼用アダプタ５０及びコンタクトレンズ２０の縦断面図である。
【００９４】
図１１の変形例では、眼用アダプタ５０の前面に吸盤孔５０ａを形成したが、図１２の変形例では、吸盤孔５０ａを形成せず、電子デバイス３０の後面と眼用アダプタ５０の前面を接着等により接合する。その他、電子デバイス３０を表面張力により眼用アダプタ５０の前面に取り付けてもよい。図１２の変形例は、上記第１及び第３の実施の形態並びにその変形例についても同様に適用することができる。
【００９５】
〔３層構造：２層目外吸着構成〕
この構成は、眼球に装着可能な眼用器具（１層目）と、眼用装着物（３層目）と、眼用装着物に吸着する吸盤構造その他の吸着手段を有する眼用アダプタ（２層目）とを備え、眼用アダプタを介して眼用装着物を眼用器具に装着する構成である。眼用アダプタ及び眼用器具は吸着以外の方法で接合する。ここで、眼用アダプタ及び眼用装着物の関係は〔２層構造：１層目外吸着構成〕と同じである。例えば、図１１の変形例では、眼用アダプタ５０の後面に吸盤孔５０ｂを形成したが、吸盤孔５０ｂを形成せず、眼用アダプタ５０の後面とコンタクトレンズ２０の前面を接着等により接合する。その他、眼用アダプタ５０を表面張力によりコンタクトレンズ２０の前面に取り付けてもよい。この変形例は、上記第１及び第３の実施の形態並びにその変形例についても同様に適用することができる。
【００９６】
〔前後方向外吸着構成〕
この構成は、水平方向、上下方向その他前後方向以外の方向に眼用装着物同士を吸着し、吸着した複数の眼用装着物を眼用器具又は眼球に装着する構成である。
【００９７】
また、上記第１乃至第３の実施の形態及びその変形例においては、眼用装着物を眼用器具の前方に配置したが、これに限らず、眼用器具を眼用装着物の前方に配置することもできる。また、眼用器具に代えて眼用装着物を用いることもできる。
【００９８】
また、上記第２の実施の形態及びその変形例において、電子デバイス３０は、基体３２に吸盤部３６を取り付け、吸盤構造を基体３２とは別体の構造としたが、これに限らず、上記第１及び第３の実施の形態における単眼レンズ１０及び薬剤４０のように吸盤構造を一体の構造とすることもできる。同様に、上記第１及び第３の実施の形態並びにその変形例において、単眼レンズ１０及び薬剤４０は、吸盤構造を一体の構造としたが、これに限らず、上記第２の実施の形態における電子デバイス３０のように別体の構造とすることもできる。
【００９９】
また、上記第３の実施の形態及びその変形例においては、薬剤４０の後面から窪む凹型の吸盤構造としたが、これに限らず、薬剤４０の後面から突出する凸型の吸盤構造とすることもできる。この変形例は、上記第１及び第２の実施の形態並びにその変形例についても同様に適用することができる。すなわち、吸盤構造として凹型の吸盤構造又は凸型の吸盤構造を採用することができる。
【０１００】
また、上記第２の実施の形態及びその変形例において、電子デバイス３０は、２層の扁平円板状としたが、これに限らず、瞳孔領域又は角膜領域を中空とするリング状（例えば、特開２０１５−１０７３２３号公報に開示の眼用デバイスの形状）、シート状、直方体状、板状、棒状又はアーム状その他の幾何学形状など、任意の形状を採用することができる。例えば、電子デバイス３０は、コンタクトレンズ２０と同様に全体として球殻形状とすることができる。具体的には、電子デバイス３０の後面は、コンタクトレンズ２０の前面にフィットするようにコンタクトレンズ２０の前面と同一又は近い曲率となる球面形状となっている。そして、電子デバイス３０の後面に吸盤孔（凹型の吸盤構造）や吸盤部（凸型の吸盤構造）を設け、又は吸盤部３６の後面のように電子デバイス３０の後面全体を吸盤構造とすることができる。この変形例は、上記第１及び第３の実施の形態並びにその変形例についても同様に適用することができる。
【０１０１】
また、上記第３の実施の形態の変形例として、図１３乃至図１８の変形例を採用することができる。
【０１０２】
図１３は、薬剤４０の形状及び装着箇所の変形例を示す図であり、（ａ）は眼２２の正面図、（ｂ）は眼２２の縦断面図である。
【０１０３】
図１３の変形例では、薬剤４０は扁平円板状に形成され、薬剤４０の後面には吸盤孔４２が形成されている。薬剤４０は、吸盤孔４２がコンタクトレンズ２０の前面に吸着し、瞳孔領域の下方に装着される。
【０１０４】
図１４は、薬剤４０の形状及び装着箇所の変形例を示す図であり、（ａ）は薬剤４０の正面図、（ｂ）は眼球２２の正面図である。
【０１０５】
図１４の変形例では、薬剤４０は、角膜領域よりも大径の扁平円板状に形成され、薬剤４０の後面には複数（同図の例では３つ）の吸盤孔４２が周方向等間隔に形成されている。薬剤４０は、吸盤孔４２が球結膜に直接吸着し、角膜２４及び瞳孔２６を覆う眼球２２の正面に装着される。
【０１０６】
図１５は、薬剤４０の形状及び装着箇所の変形例を示す図であり、（ａ）は薬剤４０の正面図、（ｂ）は眼球２２の正面図である。
【０１０７】
図１５の変形例では、薬剤４０は、扁平横長楕円板を下方に湾曲させた形状に形成され、薬剤４０の後面には複数（同図の例では２つ）の吸盤孔４２が形成されている。薬剤４０は、吸盤孔４２が球結膜に直接吸着し、角膜２４の左方又は右下方に装着される。
【０１０８】
図１６は、薬剤４０の形状及び装着箇所の変形例を示す図であり、（ａ）は薬剤４０の正面図、（ｂ）は眼球２２の正面図である。
【０１０９】
図１６の変形例では、薬剤４０は扁平縦長楕円板状に形成され、薬剤４０の後面には縦長楕円形状の吸盤孔４２が形成されている。薬剤４０は、吸盤孔４２が角膜２４に直接吸着し、瞳孔２６の右方に装着される。
【０１１０】
図１７は、薬剤４０の装着箇所の変形例を示す図である。
図１７の変形例では、薬剤４０は、吸盤孔４２が角膜２４、球結膜２８ａ、結膜円蓋部２８ｂ又は眼瞼結膜２８ｃに直接吸着し、角膜２４、球結膜２８ａ、結膜円蓋部２８ｂ又は眼瞼結膜２８ｃに装着される。
【０１１１】
図１８は、コンタクトレンズ２０の縦断面図である。
コンタクトレンズ２０は、図１８に示すように、ソフトコンタクトレンズからなる内レンズ２０ｂと、内レンズ２０ｂの前面に対面して配置されるソフトコンタクトレンズからなる外レンズ２０ｃとを有して構成されている。内レンズ２０ｂ及び外レンズ２０ｃは、ソフトコンタクトレンズとして従来周知の基本形状であり、全体として球殻形状となっている。
【０１１２】
内レンズ２０ｂ及び外レンズ２０ｃは開閉可能に下端が接合されている。内レンズ２０ｂと外レンズ２０ｃの接合部２０ｄ以外は開口しており、被収容物は、この開口から挿入可能となっている。コンタクトレンズ２０は、内レンズ２０ｂ及び外レンズ２０ｃを一体成形により製造することができる。
【０１１３】
薬剤４０は、内レンズ２０ｂ及び外レンズ２０ｃと同様に全体として球殻形状となっている。具体的には、薬剤４０の後面は、内レンズ２０ｂの前面にフィットするように内レンズ２０ｂの前面と同一又は近い曲率となる球面形状となっている。同様に、薬剤４０の前面は、外レンズ２０ｃの後面にフィットするように外レンズ２０ｃの後面と同一又は近い曲率となる球面形状となっている。そして、薬剤４０の前面に吸盤孔（凹型の吸盤構造）や吸盤部（凸型の吸盤構造）を設け、又は吸盤孔２０ａのように薬剤４０の前面全体を吸盤構造とする。
【０１１４】
薬剤４０は、吸盤孔又は吸盤部が外レンズ２０ｃの後面に吸着し、外レンズ２０ｃの後面に装着される。その後、内レンズ２０ｂと外レンズ２０ｃとの間を閉じると、薬剤４０は、内レンズ２０ｂの前面と外レンズ２０ｃの後面との間で密着挟持される。装用時は、薬剤４０が溶け出して内レンズ２０ｂと外レンズ２０ｃとの開口から流出し、眼瞼や眼球等の部位にその成分が供給される。
【０１１５】
図１３乃至図１８の変形例は、上記第１及び第２の実施の形態並びにその変形例についても同様に適用することができる。また、図１８の変形例においては、内レンズ２０ｂ及び外レンズ２０ｃの２層構造としたが、これに限らず、３層以上の構造を採用することもできる。
【０１１６】
また、上記第１乃至第３の実施の形態及びその変形例においては、コンタクトレンズ２０をソフトコンタクトレンズとして構成したが、これに限らず、ハードコンタクトレンズとして構成することもできる。
【０１１７】
また、上記第１乃至第３の実施の形態及びその変形例において、コンタクトレンズ２０をレンズとして構成したが、これに限らず、レンズ以外の部材として構成することもできる。また、上記第２及び第３の実施の形態並びにその変形例において、電子デバイス３０及び薬剤４０にレンズを設けなかったが、これに限らず、電子デバイス３０及び薬剤４０の一部をレンズで構成することもできる。
【０１１８】
また、上記第１乃至第３の実施の形態及びその変形例においては、コンタクトレンズ２０の材質について説明しなかったが、可溶性の材質で構成することができる。これにより、薬剤４０を装着する場合、コンタクトレンズ２０を薬剤４０とともに溶解させることができる。この場合、コンタクトレンズ２０の材質として薬剤４０よりも溶解速度が遅い材質を採用することができる。
【０１１９】
また、上記第３の実施の形態及びその変形例においては、吸盤孔４２の材質について説明しなかったが、薬剤４０よりも溶解速度が遅い可溶性の材質で構成することができる。これにより、吸盤孔４２を薬剤４０とともに溶解させることができるとともに、薬剤４０の溶解に伴って吸盤孔４２の吸盤効果が失われる度合いを低減することができる。
【０１２０】
また、上記第１乃至第３の実施の形態及びその変形例においては、単眼レンズ１０、電子デバイス３０又は薬剤４０を眼用装着物として採用したが、これに限らず、眼に装着可能な眼用装着物であれば任意の眼用装着物を採用することができる。眼用装着物としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）矯正具、（４）薬剤、（５）サプリメント、（６）磁性流体、又は（７）その他の眼用装着物を採用することができる。ハードコンタクトレンズの場合、ハードコンタクトレンズが眼球に直接接触しにくいので装用感を向上することができる。
【０１２１】
また、上記第１乃至第３の実施の形態及びその変形例においては、コンタクトレンズ２０を眼用器具として採用したが、これに限らず、眼に装着可能な眼用器具であれば任意の眼用器具を採用することができる。眼用器具としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）矯正具、又は（４）その他の眼用器具を採用することができる。図１１及び図１２の変形例における眼用アダプタ５０についてもこれら眼用器具と同様に構成することができる。
【０１２２】
また、上記第２の実施の形態及びその変形例においては、電子デバイス３０の機能について詳細な説明を行わなかったが、例えば、電子デバイス３０としては、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができる。また、電子デバイス３０に代えて光学デバイスその他の眼用デバイスを採用する場合も、同様に上記（１）〜（６）の機能を備えるデバイスを採用することができる。
【０１２３】
また、上記第１乃至第３の実施の形態及びその変形例においては、単眼レンズ１０、電子デバイス３０及び薬剤４０の数、大きさ、形状及び装着位置を例示したが、これに限らず、これら眼用装着物は、任意の数、任意の大きさ、任意の形状で、任意の箇所に装着することができる。
【０１２４】
また、上記第１乃至第３の実施及びその変形例において、眼用装着物は、例えば、粒状に構成することもできる。この場合、粒状の眼用装着物を粘着シートに多数敷き詰め、粘着シートを剣山上に押しつけることにより眼用装着物に吸盤孔を形成することができる。その後、コンタクトレンズ２０の前面に粘着シートを押し当てると、吸盤孔の吸盤室内が陰圧となって吸盤孔がコンタクトレンズ２０の前面に吸着し、眼用装着物がコンタクトレンズ２０に装着される。
【０１２５】
また、上記第３の実施の形態及びその変形例においては、複数の吸盤孔４２を同心円状に等間隔に形成したが、これに限らず、吸盤孔４２は、任意の数、任意の大きさ、任意の形状で、任意の箇所に形成することができる。この変形例は、上記第１及び第２の実施の形態並びにその変形例についても同様に適用することができる。すなわち、吸盤構造は、任意の数、任意の大きさ、任意の形状で、任意の箇所に設けることができる。
【０１２６】
また、上記第１乃至第３の実施の形態及びその変形例においては、本発明に係る眼用装着物及び眼用アダプタを眼球の表面に装着したが、これに限らず、例えば、人工水晶体又はその機能を補完するものとして構成し、眼球内に装着することもできる。
【０１２７】
また、上記第１乃至第３の実施の形態及びその変形例においては、単眼レンズ１０、電子デバイス３０、薬剤４０、コンタクトレンズ２０又は眼用アダプタ５０に本発明を適用したが、これに限らず、本発明の主旨を逸脱しない範囲で他の場合にも適用可能である。
【符号の説明】
【０１２８】
１０…単眼レンズ、  １２、３２…基体、  １４…対物レンズ、  １６ａ…支持突起、  １６ｂ…接眼レンズ、  １８…透光体、  ２０…コンタクトレンズ、  ２０ａ、４０、５０ａ、５０ｂ…吸盤孔、  ２０ｂ…内レンズ、  ２０ｃ…外レンズ、  ２０ｄ…接合部、  ２２…眼、  ２４…角膜、  ２６…瞳孔、  ２８ａ…球結膜、  ２８ｂ…結膜円蓋部、  ２８ｃ…眼瞼結膜、  ３０…電子デバイス、  ３４ａ、３４ｂ…支持脚、  ３６…吸盤部、  ４０…薬剤
【図１】
2019144580.tif 000003
【図２】
2019144580.tif 000004
【図３】
2019144580.tif 000005
【図４】
2019144580.tif 000006
【図５】
2019144580.tif 000007
【図６】
2019144580.tif 000008
【図７】
2019144580.tif 000009
【図８】
2019144580.tif 000010
【図９】
2019144580.tif 000011
【図１０】
2019144580.tif 000012
【図１１】
2019144580.tif 000013
【図１２】
2019144580.tif 000014
【図１３】
2019144580.tif 000015
【図１４】
2019144580.tif 000016
【図１５】
2019144580.tif 000017
【図１６】
2019144580.tif 000018
【図１７】
2019144580.tif 000019
【図１８】
2019144580.tif 000020